(57)【特許請求の範囲】
【請求項１】
複数の電子部品実装用装置を連結して構成され、基板に電子部品を半田接合により実装して実装基板を製造する電子部品実装システムであって、
前記基板に形成された電極に半田を印刷する印刷装置と、
前記基板に印刷された半田の印刷状態を検査する印刷検査装置と、
前記印刷状態の検査結果を、個々の基板を特定する基板識別情報と関連づけた個別の検査結果データとして記憶する記憶部と、
部品供給部から電子部品をピックアップし、前記検査結果データに基づいて半田が印刷された前記基板に搭載する部品搭載機構を備えた部品搭載装置と、
前記基板が前記印刷検査装置から前記部品搭載装置へ移動する移動経路に設けられ、前記基板を１枚のみ待機させることが可能な基板待機部と、
前記印刷検査装置からの基板搬出が可能であることを示す搬出可能信号および前記部品搭載装置への基板搬入が可能であることを示す搬入可能信号を承けて、印刷検査装置から部品搭載装置への印刷後の前記基板の搬送を実行する基板搬送部と、
前記基板待機部に待機中の基板についての基板識別情報を記憶する待機基板情報記憶部と、
前記印刷検査装置から前記基板待機部への基板の移動に伴って前記待機基板情報記憶部に記憶される基板識別情報を更新する識別情報更新処理部と、
前記待機基板情報記憶部に記憶された基板識別情報およびこの基板識別情報と関連づけられた前記検査結果データを前記部品搭載装置に伝達する情報伝達手段とを備えたことを特徴とする電子部品実装システム。
【請求項２】
前記印刷検査装置または部品搭載装置のいずれかが複数の基板搬送機構を有し、前記基板待機部は、これらの基板搬送機構の間で基板の振り分けを行う基板振り分け機構に設けられていることを特徴とする請求項１記載の電子部品実装システム。
【請求項３】
前記印刷検査装置は、前記半田の印刷状態の良否判定結果および印刷位置の位置ずれ量の検出結果を含む検査結果データを記憶し、
前記部品搭載装置は、前記位置ずれ量の検出結果に基づいて前記部品搭載機構を制御することにより前記電子部品の部品搭載位置を補正することを特徴とする請求項１または２記載の電子部品実装システム。
【発明の詳細な説明】
【技術分野】
【０００１】
本発明は、基板に電子部品を実装して実装基板を製造する電子部品実装システムに関するものである。
【背景技術】
【０００２】
電子部品を基板に実装して実装基板を製造する電子部品実装システムは、半田印刷装置、電子部品搭載装置、リフロー装置など複数の電子部品実装用装置を連結して構成されている。近年実装作業精度の高度化や生産性向上の要請に伴い、電子部品実装システムの各工程における検査結果を後工程にフィードフォワードする方式が用いられるようになっている（例えば特許文献１参照）。この特許文献例に示す先行技術においては、複数の単位基板よりなる多面取り基板に電子部品を実装する部品実装において、半田の印刷状態の良否を半田印刷状態検査によって判定し、判定結果を半田検査データとして後工程の電子部品搭載装置にフィードフォワードするようにしている。これにより、印刷不良の単位基板に電子部品を搭載する無駄を排除できるという効果を得る。
【先行技術文献】
【特許文献】
【０００３】
【特許文献１】特開２００６−２０２８０４号公報
【発明の概要】
【発明が解決しようとする課題】
【０００４】
上述のフィードフォワード方式においては、後工程の作業は検査結果データに基づいて実行されるため、基板搬送・データ転送の過程において現物の基板と検査結果データとの対応関係を担保することが求められる。しかしながら、上述の特許文献例を含め、従来技術においては電子部品実装システムを構成する各装置間に基板搬送コンベアなど基板が待機するスペースが存在する場合には、待機中の基板が何らかの理由で抜き取られた場合、実際に後工程に搬入される基板と転送される検査結果データとの対応関係が乱れる結果となっていた。
【０００５】
このような不都合を防止するため、個々の基板に識別用のＩＤマークを設けて識別情報と個々の検査結果データとをリンクさせておき、作業実行の際にその都度ＩＤ読み取り装置にてＩＤマークを読み取って基板を識別することにより、基板と検査結果データとの対応関係を担保することが考えられる。しかしながら識別用のＩＤマークは通常は表面のみにしか設けられないため、裏面を対象とする作業実行時にはＩＤマークを読み取ることができない。このため、表裏両面において基板の識別を確実に行うためには、裏面を対象とする作業時にもＩＤマークを読み取りを可能にするように、基板の下面側にＩＤ読み取り装置を増設する必要があり、装置の複雑化と設備費用の増大を招く結果となっていた。このように、従来の電子部品実装システムにおいては、検査結果を後工程にフィードフォワードする方式において、基板と検査結果データとの対応関係を簡便な方法によって担保することが困難であるという問題があった。
【０００６】
そこで本発明は、検査結果を後工程にフィードフォワードする方式において、基板と検査結果データとの対応関係を簡便な方法によって担保することができる電子部品実装システムを提供することを目的とする。
【課題を解決するための手段】
【０００７】
本発明の電子部品実装システムは、複数の電子部品実装用装置を連結して構成され、基板に電子部品を半田接合により実装して実装基板を製造する電子部品実装システムであって、前記基板に形成された電極に半田を印刷する印刷装置と、前記基板に印刷された半田の印刷状態を検査する印刷検査装置と、前記印刷状態の検査結果を、個々の基板を特定する基板識別情報と関連づけた個別の検査結果データとして記憶する記憶部と、部品供給部から電子部品をピックアップし、前記検査結果データに基づいて半田が印刷された前記基板に搭載する部品搭載機構を備えた部品搭載装置と、前記基板が前記印刷検査装置から前記部品搭載装置へ移動する移動経路に設けられ、前記基板を１枚のみ待機させることが可能な基板待機部と、前記印刷検査装置からの基板搬出が可能であることを示す搬出可能信号および前記部品搭載装置への基板搬入が可能であることを示す搬入可能信号を承けて、印刷検査装置から部品搭載装置への印刷後の前記基板の搬送を実行する基板搬送部と、前記基板待機部に待機中の基板についての基板識別情報を記憶する待機基板情報記憶部と、前記印刷検査装置から前記基板待機部への基板の移動に伴って前記待機基板情報記憶部に記憶される基板識別情報を更新する識別情報更新処理部と、前記待機基板情報記憶部に記憶された基板識別情報およびこの基板識別情報と関連づけられた前記検査結果データを前記部品搭載装置に伝達する情報伝達手段とを備えた。
【発明の効果】
【０００８】
本発明によれば、基板が印刷検査装置から部品搭載装置へ移動する移動経路に基板を１枚のみ待機させることが可能な基板待機部と、この基板待機部に待機中の基板についての基板識別情報を記憶する待機基板情報記憶部と、印刷検査装置から基板待機部への基板の移動に伴って待機基板情報記憶部に記憶される基板識別情報を更新する識別情報更新処理部とを備え、待機基板情報記憶部に記憶された基板識別情報およびこの基板識別情報と関連づけられた検査結果データを部品搭載装置に伝達する構成とすることにより、検査結果を後工程にフィードフォワードする方式において、基板と検査結果データとの対応関係を簡便な方法によって担保することができる。
【図面の簡単な説明】
【０００９】
【図１】本発明の一実施の形態の電子部品実装システムの平面図
【図２】本発明の一実施の形態の電子部品実装システムの制御系の構成を示すブロック図
【図３】本発明の一実施の形態の電子部品実装システムにおける印刷検査処理を示すフロー図
【図４】本発明の一実施の形態の電子部品実装システムにおける部品実装処理を示すフロー図
【発明を実施するための形態】
【００１０】
まず図１を参照して、電子部品実装システム１の構成を説明する。電子部品実装システム１は基板に半田接合により電子部品を実装して実装基板を製造する機能を有しており、複数の電子部品実装用装置を直列に連結して構成されている。ここでは直列に連結された印刷装置Ｍ１、印刷検査装置Ｍ２、基板振り分け装置Ｍ３の下流に、それぞれ複数（ここでは２つ）の基板搬送機構を備えた構成の部品搭載装置Ｍ４を直列に接続した構成となっている。
【００１１】
以下、各装置の構成を説明する。印刷装置Ｍ１は実装対象の基板に電子部品接合用の半田ペーストを印刷する機能を有しており、基台２の上面には実装対象の基板４を基板搬送方向に搬送する基板搬送機構３および搬送された基板４を位置決めして保持する基板位置決め部５が配置されている。基板位置決め部５の上方にはマスク枠１４に展張されたマスクプレート１５が配設されており、さらにマスクプレート１５の上方には、移動ビーム１２に保持されたスキージユニット１３をＹ軸テーブル１１によって水平駆動する構成のスクリーン印刷部３６（図２参照）が配設されている。
【００１２】
上流側から供給され（矢印ａ）、基板位置決め部５によって位置決めされた基板４をマスクプレート１５の下面に当接させ、Ｙ軸テーブル１１を駆動して半田ペーストが供給されたマスクプレート１５の上面でスキージユニット１３を摺動させることにより、基板４に形成された部品接続用の電極にはマスクプレート１５に設けられたパターン孔を介して半田ペーストが印刷される。すなわち、上流側の作業装置である印刷装置Ｍ１は基板４に対して所定の作業である半田ペーストの印刷作業を行う。
【００１３】
印刷検査装置Ｍ２は、印刷装置Ｍ１によって印刷作業が実行された後の基板４を受け取り、基板４に印刷された半田ペーストの印刷状態を検査する印刷検査を行う機能を有している。印刷検査装置Ｍ２の基台２の上面には、印刷装置Ｍ１と連結された基板搬送機構３および基板位置決め部５が配置されている。さらに基板位置決め部６の上方には、Ｙ軸テーブル１１、移動ビーム１６よりなるカメラ移動機構によって水平移動する検査用のカメラ１７が配設されている。カメラ移動機構を駆動することにより、カメラ１７は基板４の上方で水平方向に移動し、基板４の任意位置を撮像する。そしてこの撮像結果を画像認識部４３（図２参照）によって認識処理し、認識処理結果を検査処理部４４によって判定処理することにより、印刷検査が実行される。
【００１４】
この印刷検査においては、印刷状態の良否判定結果とともに、当該基板における半田ペーストの印刷位置の正規位置からの位置ずれ状態を示す位置ずれ量の検出結果を含む検査結果データが個別の基板４毎に作成され、記憶される。そしてこれらの検査結果データは、下流の部品搭載装置Ｍ４に伝達される。部品搭載装置Ｍ４においては、これらの半田位置ずれ量データに基づき、当該基板４に対して電子部品を実装する際の部品搭載位置の補正が行われる。
【００１５】
印刷検査装置Ｍ２の下流に配置された基板振り分け装置Ｍ３には、基台２の上面に基板４を基板搬送方向に搬送するコンベア機構を備えた振り分けコンベア１８が設けられており、振り分けコンベア１８はコンベア移動機構（図示省略）によって基板搬送方向と直交するＹ方向にシフト自在（矢印ｂ）となっている。振り分けコンベア１８およびコンベア移動機構は、上流側から受け取った基板４を以下に説明する部品搭載装置Ｍ４に設けられた２つの基板搬送機構１９Ａ，１９Ｂに振り分ける基板振り分け機構４０（図２参照）を構成する。
【００１６】
基板振り分け装置Ｍ３において印刷検査装置Ｍ２から部品搭載装置Ｍ４へ基板４が移動する移動経路である振り分けコンベア１８には、基板４を１枚のみ待機させることが可能な基板待機部が設定されている。部品搭載装置Ｍ４において、基板搬入準備が未完了の状態であれば、印刷検査装置Ｍ２から基板振り分け装置Ｍ３に搬入された基板４は振り分けコンベア１８にて停止し、部品搭載装置Ｍ４の基板搬入準備の完了まで一時待機する。
【００１７】
本実施の形態においては、部品搭載装置Ｍ４が複数の基板搬送機構１９Ａ，１９Ｂを有していることから、これらの基板搬送機構１９Ａ，１９Ｂの間で基板４の振り分けを行う基板振り分け機構４０が設けられており、基板待機部はこの基板振り分け機構４０におけるを基板搬送スペースを利用して設けられている。なお、上流側の印刷検査装置Ｍ２に複数の基板搬送機構が設けられている場合において、これらの基板搬送機構の間で基板を振り分ける構成であってもよい。さらに、本実施の形態においては、基板振り分け機構４０の振り分けコンベア１８を基板待機部としているが、印刷検査装置Ｍ２から部品搭載装置Ｍ４へ基板４が移動する移動経路において、基板４を１枚のみ待機させるスペースが確保できれば、基板待機部を印刷検査装置Ｍ２あるいは部品搭載装置Ｍ４に設けるようにしてもよい。
【００１８】
基板振り分け装置Ｍ３の下流の部品搭載装置Ｍ４は、いずれもＸ方向に配設された２条の基板搬送機構１９Ａ，１９Ｂにそれぞれ個別に動作可能な部品搭載装置である部品実装部Ｍ４Ａ，Ｍ４Ｂを備えた構成となっており、基板搬送機構１９Ａ、部品実装部Ｍ４Ａは１つの部品実装レーンＬＡを、また基板搬送機構１９Ｂ、部品実装部Ｍ４Ｂは同様に１つの部品実装レーンＬＢを構成している。
【００１９】
次に部品搭載装置Ｍ４の構成を説明する。基台２０の中央には、基板搬送方向（Ｘ方向）に２対の基板搬送機構１９Ａ，１９Ｂが平行に配設されている。基板搬送機構１９Ａ，１９Ｂは、基板振り分け装置Ｍ３を介して印刷検査装置Ｍ２から渡された基板４を搬送し、以下に説明する部品搭載機構５５（図２参照）によって部品搭載作業を行うための実装ステージに位置決めする。
【００２０】
基板搬送機構１９Ａ，１９Ｂの外側にはそれぞれ部品供給部２３Ａ，２３Ｂが設けられており、部品供給部２３Ａ，２３Ｂには複数のテープフィーダ２４が並設されている。テープフィーダ２４は基板４に実装される電子部品を保持したキャリアテープをピッチ送りすることにより、部品ピックアップ位置に電子部品を供給する。基台２０のＸ方向側の端部には、Ｙ軸移動テーブル２１が配設されており、Ｙ軸移動テーブル２１に結合された２つのＸ軸移動テーブル２２Ａ，２２Ｂには、それぞれ搭載ヘッド２５Ａ，２５Ｂが装着されている。搭載ヘッド２５Ａ，２５Ｂは複数の単位搭載ヘッドを備えており、各単位搭載ヘッドに装着された吸着ノズルによって電子部品を真空吸着により保持する。
【００２１】
Ｙ軸移動テーブル２１およびＸ軸移動テーブル２２Ａ，２２Ｂを駆動することにより、搭載ヘッド２５Ａ，２５ＢはＸ方向、Ｙ方向に水平移動する。これにより、搭載ヘッド２５Ａ，２５Ｂはそれぞれ部品供給部２３Ａ，２３Ｂのテープフィーダ２４から電子部品を吸着して取り出し、基板搬送機構１９Ａ，１９Ｂの実装ステージに位置決めされた基板４に移送搭載する。Ｙ軸移動テーブル２１、Ｘ軸移動テーブル２２Ａ，２２Ｂ、搭載ヘッド２５Ａ，２５Ｂは、部品供給部２３Ａ，２３Ｂから電子部品をピックアップし、印刷検査装置Ｍ２から伝達される検査結果データに基づいて半田が印刷された基板４に搭載する部品搭載機構５５を構成する。
【００２２】
搭載ヘッド２５Ａ，２５Ｂの移動経路には、部品認識カメラ２６Ａ，２６Ｂが設けられており、電子部品を保持した搭載ヘッド２５Ａ，２５Ｂが、部品認識カメラ２６Ａ，２６Ｂの上方を移動することにより、部品認識カメラ２６Ａ，２６Ｂは、搭載ヘッド２５Ａ，２５Ｂによって保持された電子部品を下方から撮像して認識する。すなわち上述構成の電子部品実装システム１は、上流側の作業装置である印刷装置Ｍ１によって所定の作業、すなわち印刷作業がなされた基板を、複数台の部品搭載装置である部品実装部Ｍ４Ａ，Ｍ４Ｂに振り分けて部品実装作業を行う形態となっている。
【００２３】
次に図２を参照して、電子部品実装システム１の制御系の構成を説明する。図２において、印刷装置Ｍ１、印刷検査装置Ｍ２、部品搭載装置Ｍ４は、それぞれＬＡＮ回線３０を介して相互に接続されており、さらにＬＡＮ回線３０は管理コンピュータ３１に接続されている。すなわちＬＡＮ回線３０は、印刷検査装置Ｍ２と部品搭載装置Ｍ４とを相互に連結する構成となっており、管理コンピュータ３１は電子部品実装システム１の全体動作を管理する機能を有している。
【００２４】
印刷装置Ｍ１は、通信部３２、印刷制御部３３、印刷データ記憶部３４、機構駆動部３５を備えている。通信部３２は管理コンピュータ３１および他装置との間で、ＬＡＮ回線３０を介して信号の授受を行う。印刷制御部３３は通信部３２を介して受信する制御信号に基づき、印刷装置Ｍ１による印刷作業を制御する。印刷データ記憶部３４は、印刷作業の実行に必要な印刷データを基板種毎に記憶する。機構駆動部３５は印刷制御部３３に制御されて、基板搬送機構３、基板位置決め部５、スクリーン印刷部３６を制御する。
【００２５】
印刷検査装置Ｍ２は、通信部４１、検査制御部４２、画像認識部４３、検査処理部４４、検査結果データ記憶部４５、基板ＩＤ管理部４６及び搬送処理部４７を備えている。通信部４１は、管理コンピュータ３１および他装置との間で、ＬＡＮ回線３０を介して信号の授受を行う。検査制御部４２は、印刷検査装置Ｍ２によって実行される印刷検査作業を制御する。
【００２６】
画像認識部４３はカメラ１７によって撮像された印刷後の基板４の画像を認識処理する。検査処理部４４は画像認識部４３によって認識処理された結果に基づき、個別の基板４毎に印刷検査を実行するための処理を行う。この印刷検査においては、印刷状態の良否判定結果とともに、当該基板における半田ペーストの印刷位置の正規位置からの位置ずれ状態を示す位置ずれ量の検出結果を含む検査結果データが個別の基板４毎に作成される。検査結果データ記憶部４５は、このようにして作成された検査結果データを記憶する。この検査結果データには、各基板４の印刷状態の良否判定結果を示す良否判定データ４５ａ、位置ずれ量の検出結果を示す位置ずれ量データ４５ｃ及び個々の基板４を特定して他と識別する基板識別情報としての基板ＩＤ４５ｂが含まれる。すなわち検査結果データ記憶部４５は、印刷状態の検査結果を、個々の基板４を特定する基板識別情報と関連づけた個別の検査結果データとして記憶する記憶部として機能する。なお、検査結果データをＬＡＮ回線３０を介して管理コンピュータ３１に送信し、管理コンピュータ３１の記憶装置に記憶させるようにしてもよい。
【００２７】
基板ＩＤ管理部４６は、印刷検査装置Ｍ２にて印刷検査の対象となる基板４と当該基板４について取得された検査結果データとの対応関係を担保するために必要な基板識別情報の管理に関する処理を行う。電子部品実装ラインにおいて作業対象となる基板４には、必ずしも全てに個体を識別する基板ＩＤが付与されているとは限らない。しかしながら、印刷結果後の作業管理においては、検査結果データと個々の基板との対応関係を厳密に管理する必要があるため、印刷検査装置Ｍ２に基板ＩＤ管理機能を設けて、基板ＩＤと検査結果データとの対応関係を担保するために必要とされる処理を実行させるようにしている。
【００２８】
まず予めバーコードなどで基板ＩＤが付与された基板４が印刷検査の対象となる場合には、基板ＩＤ管理部４６はバーコードリーダなどによって基板ＩＤを読み取り、検査結果データ記憶部４５に基板ＩＤ４５ｂとして書き込む。また基板ＩＤが付与されていない基板４を印刷検査の対象とする場合には、基板ＩＤ管理部４６は新たに搬入される基板毎に固有の基板ＩＤを生成して検査結果データ記憶部４５に基板ＩＤ４５ｂとして書き込む。そして印刷検査後の基板４が印刷検査装置Ｍ２から搬出される際には、基板ＩＤ管理部４６は当該搬出対象の基板４に対応する基板ＩＤを出力する。
【００２９】
そして出力された基板ＩＤは、ＬＡＮ回線３０に接続された記憶装置６０に書き込まれる。記憶装置６０は、基板振り分け装置Ｍ３の振り分けコンベア１８に設定された基板待機部に待機中の基板４についての基板ＩＤ（基板識別情報）を記憶する待機基板情報記憶部として機能する。ここで記憶装置６０に記憶される基板ＩＤは、印刷検査装置Ｍ２から振り分けコンベア１８の基板待機部への新たな基板４の移動に伴って、基板ＩＤ管理部４６によって当該新たな基板４に対応する基板ＩＤが上書きされて更新される。したがって基板ＩＤ管理部４６は、印刷検査装置Ｍ２から基板待機部への基板４の移動に伴って、待機基板情報記憶部に記憶される基板識別情報を更新する識別情報更新処理部として機能している。
【００３０】
なお、電子部品実装システム１の構成における記憶装置６０の所属は特に限定されず、印刷検査装置Ｍ２、部品搭載装置Ｍ４のいずれかの記憶機能を用いてもよく、また管理コンピュータ３１の記憶機能、さらにはＬＡＮ回線３０に接続された独立の記憶装置を記憶装置６０として用いるようにしてもよい。
【００３１】
搬送処理部４７は、印刷検査装置Ｍ２を対象とする基板４の搬送に際して、印刷検査装置Ｍ２の状態が基板搬送可能な状態であるか否かをフラグ信号の形で表出する。すなわち印刷検査装置Ｍ２へ上流側からの基板４の搬入の可否を、基板搬入準備完了フラグが０，１のいずれであるかによって表出するとともに、印刷検査装置Ｍ２から下流側への基板４の搬出の可否を、基板搬出準備完了フラグが０，１のいずれであるかによって表出する。搬送処理部４７は基板振り分け装置Ｍ３の基板振り分け機構４０と信号線によって接続されており、印刷検査装置Ｍ２の基板搬送機構３から基板振り分け装置Ｍ３の振り分けコンベア１８への基板４の移動は、搬送処理部４７から基板搬出準備完了フラグ＝１（搬出可能信号）が表出されている状態で実行される。
【００３２】
部品搭載装置Ｍ４は、それぞれ通信部５１、搭載制御部５２、搭載データ記憶部５３、機構駆動部５４、搬送処理部５６を備えている。通信部５１は、他装置および管理コンピュータ３１との間でＬＡＮ回線３０を介して信号の授受を行う。搭載制御部５２は、部品搭載装置Ｍ４による部品搭載作業を制御する。搭載データ記憶部５３は、部品搭載作業に必要となるデータを基板種毎に記憶する。機構駆動部５４は、搭載制御部５２に制御されて基板搬送機構１９Ａ、１９Ｂおよび部品搭載機構５５を駆動する。
【００３３】
搭載制御部５２による部品搭載機構５５の制御に際しては、搭載制御部５２は通信部５１、ＬＡＮ回線３０を介して記憶装置６０にアクセスし、記憶装置６０に書き込まれている基板ＩＤ、換言すれば当該時点において基板振り分け装置Ｍ３の振り分けコンベア１８に設定された基板待機部にて待機中の基板４を特定する基板ＩＤを取得する。次いで特定された基板ＩＤと関連づけられた検査結果データを印刷検査装置Ｍ２の検査結果データ記憶部４５から取得する。そして部品搭載動作の実行に際しては、取得した検査結果データの位置ずれ量データ４５ｃに基づいて部品搭載機構５５を制御することにより、電子部品の部品搭載位置を補正する。
【００３４】
上記構成において、ＬＡＮ回線３０、印刷検査装置Ｍ２に備えられた通信部４１、部品搭載装置Ｍ４に備えられた通信部５１は、待機基板情報記憶部である記憶装置６０に記憶された基板識別情報としての基板ＩＤおよびこの基板ＩＤと関連づけられて印刷検査装置Ｍ２の検査結果データ記憶部４５に記憶された検査結果データを部品搭載装置Ｍ４に伝達する情報伝達手段となっている。
【００３５】
搬送処理部５６は、印刷検査装置Ｍ２における搬送処理部４７と同様に、部品搭載装置Ｍ４を対象とする基板４の搬送に際して、部品搭載装置Ｍ４の基板搬送機構１９Ａまたは基板搬送機構１９Ｂの状態が基板搬送可能な状態であるか否かをフラグ信号の形で表出する。すなわち基板搬送機構１９Ａまたは基板搬送機構１９Ｂへの上流側からの基板４の搬入の可否を、基板搬入準備完了フラグが０，１のいずれであるかによって表出する。搬送処理部５６は基板振り分け装置Ｍ３の基板振り分け機構４０と信号線によって接続されており、基板振り分け装置Ｍ３の振り分けコンベア１８から部品搭載装置Ｍ４の基板搬送機構１９Ａまたは基板搬送機構１９Ｂへの基板４の移動は、基板搬送機構１９Ａまたは基板搬送機構１９Ｂのいずれかの搬送処理部５６から、基板搬入準備完了フラグ＝１（搬入可能信号）が表出されている状態で実行される。
【００３６】
上記構成において、基板振り分け装置Ｍ３の基板振り分け機構４０は、印刷検査装置Ｍ２からの基板搬出が可能であることを示す搬出可能信号および部品搭載装置Ｍ４への基板搬入が可能であることを示す搬入可能信号を承けて、印刷検査装置Ｍ２から部品搭載装置Ｍ４への印刷後の基板４の搬送を実行する基板搬送部となっている。
【００３７】
次に、電子部品実装システム１において印刷検査装置Ｍ２によって実行される印刷検査処理について、図３を参照して説明する。まず、搬送処理部４７において、基板搬出準備完了フラグ＝０、基板搬入準備完了フラグ＝１が表出され（ＳＴ１）、基板搬入可能な状態であることが上流側装置に対して通知されて基板４が搬入される（ＳＴ２）。そしてこの状態を承けて、新たな基板４の搬入・搬出を禁止するために、基板搬出準備完了フラグ＝０。基板搬入準備完了フラグ＝０が表出される（ＳＴ３）。
【００３８】
次に、搬入された基板４を識別するための基板ＩＤ読み取りまたはＩＤ付与が行われる（ＳＴ４）。すなわち搬入された基板４が既にバーコードなどによって基板ＩＤが付与済みの場合には、基板ＩＤ管理部４６の機能により付設のリーダーによって基板ＩＤを読みとる。また基板ＩＤのない基板４の場合には、基板ＩＤ管理部４６によって当該基板４に固有の新たな基板ＩＤを生成する。そしてこのようにして読み取られ，または生成された基板ＩＤは、基板ＩＤ４５ｂとして検査結果データ記憶部４５に記憶される。
【００３９】
次に半田印刷状態検査が実行される（ＳＴ５）。すなわち、搬入された基板４をカメラ１７によって撮像した画像を画像認識部４３によって認識処理し，この結果を検査処理部４４が検査処理することにより、印刷状態の良否を示す良否判定データ４５ａ、印刷位置の位置ずれ量を示す位置ずれ量データ４５ｃが求められる。そしてこれらの検査結果データは、基板ＩＤ４５ｂと関連づけられて検査結果データ記憶部４５に記憶されるとともに（ＳＴ６）、ＬＡＮ回線３０を介して管理コンピュータ３１に検査結果データが送信される（ＳＴ７）。
【００４０】
このようにして印刷検査作業が完了したならば、基板搬出を開始する。すなわち、まず基板搬出準備完了フラグ＝１、基板搬入準備完了フラグ＝０が表出され（ＳＴ８）、基板搬出が可能な状態であることが基板振り分け装置Ｍ３の基板振り分け機構４０に対して通知される。ここで基板振り分け機構４０が基板搬入可能であれば振り分けコンベア１８に設定された待機位置（基板待機部）へ，印刷検査済みの基板４を搬出する（ＳＴ９）。そしてこの印刷検査済みの基板４の基板待機部への移動に伴って、記憶装置６０に当該基板４の基板ＩＤを書き込む（ＳＴ１０）。これにより、記憶装置６０に記憶されていた前の基板４の基板ＩＤが、当該時点において基板待機部に位置する基板４の基板ＩＤによって上書きされて更新される。そしてこの後、（ＳＴ１）に戻って同様のステップが反復実行される。
【００４１】
次に、電子部品実装システム１において部品搭載装置Ｍ４によって実行される部品実装処理について、図４を参照して説明する。まず、搬送処理部５６において、基板搬出準備完了フラグ＝０、基板搬入準備完了フラグ＝１が表出され（ＳＴ１１）、基板搬入可能な状態であることが基板振り分け装置Ｍ３に対して通知されて、振り分けコンベア１８の待機位置（基板待機部）から基板４が搬入される（ＳＴ１２）。次いで、搭載制御部５２は記憶装置６０にアクセスして記憶されている基板ＩＤ、すなわち当該時点で新たに搬入された基板４の基板ＩＤを取得する（ＳＴ１３）。さらに搭載制御部５２は印刷検査装置Ｍ２の検査結果データ記憶部４５にアクセスして、取得した基板ＩＤと関連づけられた位置ずれ量データ４５ｃを含む検査結果データを取得する（ＳＴ１４）。そしてこの状態を承けて、新たな基板４の搬入・搬出を禁止するために、基板搬出準備完了フラグ＝０、基板搬入準備完了フラグ＝０が表出される（ＳＴ１５）。
【００４２】
次に取得した検査結果データに基づき、実装位置補正が行われる（ＳＴ１６）。すなわち、位置ずれ量データ４５ｃに基づき、実際に電子部品を搭載着地させる際の実装位置座標を補正する。そして補正された実装位置座標に基づき、部品搭載機構５５によって部品実装が実行される（ＳＴ１７）。部品実装終了後には、ＬＡＮ回線３０を介して管理コンピュータ３１に実装結果データが送信される（ＳＴ１８）。
【００４３】
このようにして部品実装作業が完了したならば、基板搬出を開始する。すなわち、まず基板搬出準備完了フラグ＝１、基板搬入準備完了フラグ＝０が表出され（ＳＴ１９）、基板搬出が可能な状態であることが下流側装置に対して通知される。下流側装置が基板搬入可能であれば部品実装済みの基板４を搬出する（ＳＴ２０）。そしてこの後、（ＳＴ１１）に戻って同様のステップが反復実行される。
【００４４】
上記説明したように、本実施の形態に示す電子部品実装システム１は、基板４が印刷検査装置Ｍ２から部品搭載装置Ｍ４へ移動する移動経路に基板４を１枚のみ待機させることが可能な基板待機部と、この基板待機部に待機中の基板４についての基板ＩＤ（基板識別情報）を記憶する記憶装置６０（待機基板情報記憶部）と、印刷検査装置Ｍ２から基板待機部への基板４の移動に伴って記憶装置６０に記憶される基板ＩＤを更新する基板ＩＤ管理部４６（識別情報更新処理部）とを備え、記憶装置６０に記憶された基板ＩＤおよびこの基板ＩＤと関連づけられた検査結果データを部品搭載装置Ｍ４に伝達する構成としたものである。
【００４５】
これにより、検査結果を後工程にフィードフォワードする方式において、各装置間に基板搬送コンベアなど基板が待機するスペースが存在する場合に、待機中の基板が何らかの理由で抜き取られた場合や、基板に識別用のＩＤマークがない場合などにあっても、基板と検査結果データとの対応関係を簡便な方法によって担保することができる。
【産業上の利用可能性】
【００４６】
本発明の電子部品実装システムは、検査結果を後工程にフィードフォワードする方式において、基板と検査結果データとの対応関係を簡便な方法によって担保することができるという効果を有し、基板に電子部品などの部品を実装して実装基板を製造する分野に有用である。
【符号の説明】
【００４７】
１  電子部品実装システム
３  基板搬送機構
４  基板
１７  カメラ
１８  振り分けコンベア
１９Ａ，１９Ｂ  基板搬送機構
３０  ＬＡＮ回線
Ｍ１  印刷装置
Ｍ２  印刷検査装置
Ｍ３  基板振り分け装置
Ｍ４  部品搭載装置
【図１】
0005747164.tif 000002
【図２】
0005747164.tif 000003
【図３】
0005747164.tif 000004
【図４】
0005747164.tif 000005